(57)【要約】【課題】   被覆電線に圧着端子を連続的に圧着せしめる自動端子圧着装置においては、クランプ手段にオペレーターが加工対象である被覆電線をいちいち手で供給する様になっているものが多いが、クランプ手段は移動するものであり、供給のタイミングがむずかしく、供給作業には熟練を要した。【解決手段】  被覆電線に圧着端子を圧着せしめる自動端子圧着装置において、被覆電線を把持して各工程にこれを搬送するクランプ手段のほかに、クランプ手段の出発位置において被覆電線を仮に把持する予備クランプ手段を付設し、オペレーターは加工対象である被覆電線をクランプ手段ではなく、予備クランプ手段に供給し、被覆電線は予備クランプ手段からクランプ手段に自動的に取り引きされる様にした。【選択図】  図１
2015173049.tif 000002
【特許請求の範囲】
【請求項１】
出発位置から終端位置までのクランプ手段の移動経路上に、間隔をあけて被覆剥取り手段と圧着手段とが位置せしめられており、出発位置において被覆電線をクランプ手段によって把持し、被覆剥取り手段設置位置まで被覆電線を移動させ、被覆電線端末から被覆を剥ぎ取って、芯線を露出させた後、圧着手段設置位置まで更に移動させ、圧着手段によって芯線に圧着端子を圧着固定し、終端位置において、圧着端子固定済みの被覆電線を排出手段に引き渡した後、クランプ手段を出発位置に復帰させる一連の動作を繰り返す自動端子圧着装置において、出発位置に前記クランプ手段とは別に、移動機能を有しない予備クランプ手段を位置させ、被覆電線に対して上記一連の作業が経時的に遂行されている間に、併列的に出発位置において次の加工対象である待機中の被覆電線をこの予備クランプ手段によって仮に把持しておき、圧着端子固定済みの被覆電線の排出が完了し、クランプ手段が出発位置に復帰したなら、予備クランプ手段による被覆電線の仮把持を解除すると同時にクランプ手段がこれを把持し、一連の剥取り及び圧着作業を開始する様になっていることを特徴とする自動端子圧着装置。
【発明の詳細な説明】
【技術分野】
【０００１】
この発明は、自動端子圧着装置、詳しくは、熟練を要さず、効率よく圧着端子を連続的かつ自動的に被覆電線に圧着できる装置に関する。
【背景技術】
【０００２】
圧着端子は、被覆電線の端末に圧着して電気的接続の用に供される導電性金属部品であり、自動車、家電などの多くの産業分野において用いられている。
【０００３】
被覆電線への圧着端子の取付けは、自動端子圧着装置を用いて行うことが多いが、同装置で圧着端子を圧着するには、被覆電線端末から被覆を剥取って芯線を露出させる工程と、芯線を圧着端子のバレルにかしめて圧着せしめる圧着工程とが必要であり、通常の場合、これら工程は自動端子圧着装置内のそれぞれ別の場所で行われる。
【先行技術文献】
【特許文献】
【０００４】
【特許文献１】なし
【非特許文献】
【０００５】
【非特許文献１】なし
【発明の概要】
【発明が解決しようとする課題】
【０００６】
これら一連の工程は、加工対象である被覆電線をクランプ手段によって把持し、クランプ手段を出発位置から終端位置まで移動させる間に実施され、クランプ手段は、圧着加工が終了して終端位置に達した段階で、被覆電線を外部排出用の移動手段に引き渡し、出発位置に戻る様になっている。つまり、クランプ手段は加工対象である被覆電線を把持したら、出発位置から終端位置までの移動を開始し、出発位置からは離れてしまい、不在となるので、端子圧着作業を行っているオペレーターはクランプ手段が出発位置に戻ってくるまで、次の加工対象である被覆電線をクランプ手段に装填することは出来ず、クランプ手段が出発位置に戻ってきたとき、タイミングよくクランプ手段に被覆電線を差し出さなければならなかった。
【０００７】
ちなみに、クランプ手段の出発位置から終端位置までの往復に要する時間は通常の場合、１秒から１．５秒程度なので、タイミング良くクランプ手段に被覆電線を差し出すのは熟練を要し、なかなかむずかしかった。
【０００８】
本発明者は自動端子圧着装置におけるクランプ手段への被覆電線の供給に関する上記問題点を解決すべく研究を行った結果、熟練を要さず、効率よく加工対象である被覆電線を供給することが出来る自動端子圧着装置を開発することに成功し、本発明としてここに提案するものである。
【課題を解決するための手段】
【０００９】
出発位置から終端位置までのクランプ手段の移動経路上に、間隔をあけて被覆剥取り手段と圧着手段とが位置せしめられており、出発位置において被覆電線をクランプ手段によって把持し、被覆剥取り手段設置位置まで被覆電線を移動させ、被覆電線端末から被覆を剥ぎ取って、芯線を露出させた後、圧着手段設置位置まで更に移動させ、圧着手段によって芯線に圧着端子を圧着固定し、終端位置において、圧着端子固定済みの被覆電線を排出手段に引き渡した後、クランプ手段を出発位置に復帰させる一連の動作を繰り返す自動端子圧着装置において、出発位置に前記クランプ手段とは別に、移動機能を有しない予備クランプ手段を位置させ、被覆電線に対して上記一連の作業が経時的に遂行されている間に、併列的に出発位置において次の加工対象である待機中の被覆電線をこの予備クランプ手段によって仮に把持しておき、圧着端子固定済みの被覆電線の排出が完了し、クランプ手段が出発位置に復帰したなら、予備クランプ手段による被覆電線の仮把持を解除すると同時にクランプ手段がこれを把持し、一連の剥取り及び圧着作業を開始する様にして、上記課題を解決した。
【発明の効果】
【００１０】
クランプ手段が移動経路の出発位置を離れたら、適宜、予備クランプ手段に次の被覆電線を差し込んで、これを把持させれば、自動的にクランプ手段に引渡されるので、従来のものの様に、クランプ手段が出発位置に戻った時にタイミングを合わせて、これに次の被覆電線を差し出す必要はなく、クランプ手段が出発位置を離れたなら、オペレーターは何時でも自分の都合の良い時期に被覆電線を予備クランプ手段に供給すれば良く、自動端子圧着装置全体の動きを監視しつつ、余裕を持って被覆電線の供給を実施することが出来る様になる。
【００１１】
従って、特に熟練を要することなく、被覆電線への圧着端子のかしめ作業を行うことが可能となり、圧着端子の圧着作業全体の能率を飛躍的に向上させることが出来る。
【図面の簡単な説明】
【００１２】
【図１】この発明に係る自動端子圧着装置の実施例１の各構成要素を模式的に描いた説明図。
【発明を実施するための形態】
【００１３】
被覆電線に圧着端子を固定する自動端子圧着装置において、被覆電線を把持して各工程にこれを搬送するクランプ手段のほかに、クランプ手段の出発位置において被覆電線を仮に把持する予備クランプ手段を付設し、オペレーターは加工対象である被覆電線をクランプ手段ではなく、予備クランプ手段に供給し、クランプ手段の動きに合せて、被覆電線を予備クランプ手段からクランプ手段へ人手を介することなく自動的に引渡す様にした点に最大の特徴が存する。
【実施例１】
【００１４】
図１はこの発明に係る自動端子圧着装置の実施例１の各構成要素を模式的に描いた斜視図である。
【００１５】
図中２５は自答端子圧着装置全体を示し、１はクランプ手段であり、一対の対向した把持片２によって被覆電線３を両側から挟むことが出来る様になっている、そしてこのクランプ手段１は移動経路５上を出発位置６から終端位置７まで往復移動出来る様になっており、この移動経路５上の出発位置６の近傍には被覆剥取り手段８が、終端位置７の近傍には圧着手段９がそれぞれ配置されている。
【００１６】
被覆剥取り手段８は、上下一対の被覆電線切断刃１０とこれに隣接して配置されている上下一対の被覆剥取り刃１１とから、圧着手段９は圧着端子２３のバレル２２をかしめる上下一対のかしめ片１２とからそれぞれなるものであるが、これらは従来から存在する自動端子圧着装置において用いられるものと全く同じである。
【００１７】
一方、被覆剥取り手段８と圧着手段９との間には、被覆電線３にワイヤーシール２４を挿入するワイヤーシール挿入手段１３が、ワイヤーシール挿入手段１３と被覆剥取り手段８との間には、ワイヤーシール装着状況判別手段１４が、それぞれ位置せしめられている。ワイヤーシール２４とは被覆電線３の端末に装着する軟質合成樹脂製の筒状部材であり、圧着端子２３が挿入されるコネクタなどの機器の開口部に介装され、防水性を保持する為に用いられるものである。
【００１８】
なお、このワイヤーシール挿入手段１３及びワイヤーシール装着状況判別手段１４は、この実施例１に示した自動端子圧着装置２５においては、被覆電線３に圧着端子２３だけではなく、ワイヤーシール２４にも装着する様になっているので、このワイヤーシール２４の装着の為に設置されているのであり、ワイヤーシール２４を装着する必要のない場合には、当然このワイヤーシール挿入手段１３及びワイヤーシール装着状況判別手段１４は設置する必要はない。
【００１９】
更に、移動経路５の終端位置７には、クランプ手段１から圧着端子固定済みの被覆電線３を受け取り、移動経路５上を移動した後、外部に排出する排出手段１６が設置されている。
【００２０】
そして、移動経路５の出発位置６におけるクランプ手段１の後方には、予備クランプ手段１７が、予備クランプ手段１７の後方には電線先端感知センサー１８がそれぞれ設置されている。予備クランプ手段１７は上下に配された一対の把持片１９によって被覆電線３の端末付近を挟持するものであり、前述のクランプ手段１とは異なり、移動手段は伴っておらず、出発位置６後方に定置されている。
【００２１】
更に、予備クランプ手段１７の前面には、前方に向かって漏斗状に拡径した斜面２０を有する案内部材２１が設定されている。
【００２２】
そして、予備クランプ手段１７は、電線先端検知センサー１８からの信号により把持片１９を閉じる様になっていると共に、クランプ手段１と連動し、出発位置６において、クランプ手段１の把持片２が閉じると、把持片１９は開く様になっている。
【００２３】
この実施例１は上記の通りの構成を有するものであり、被覆電線３に圧着端子２３を圧着しようとするときは、図１に示す様に被覆電線３をクランプ手段１の把持片２上を通過させ、その先端を案内部材２１に差し込み、その斜面２０によって案内させつつ、予備クランプ手段１７の一対の対向した把持片１９の間を通過させ、電線先端検知センサー１８まで導き、これに当接させる。すると、電線先端検知センサー１８はそれを感知し、クランプ手段１に信号を発し、その把持片２を閉じて、被覆電線３を把持して移動経路５上を終端位置７方向に移動しながら、被覆電線切断刃１０による被覆電線３の先端部分のカット、被覆剥取り刃１１による被覆の剥取り、ワイヤーシール挿入手段１３によるワイヤーシール２４の挿入など一連の作業が行われる。その後、クランプ手段１に把持された被覆電線３は、終端位置７の近傍に設置されている圧着手段９まで移動し、被覆電線３の端末の芯線がかしめ片１２によって圧着端子２３のバレル２２にかしめられ、圧着端子２３に圧着される。
【００２４】
この様にして、圧着端子２３が装着された被覆電線３は、移動経路５の終端位置７において、排出手段１６に引渡され、排出手段１６は圧着端子２３が圧着された被覆電線３を保持した状態で移動した後、外部へこれを排出し、一連の作業は完了する。
【００２５】
一方、クランプ手段１が被覆電線３を把持して移動経路５を出発して上記各種加工作業を開始し、出発位置６から不在となったなら、この加工作業のオペレーターは、次の加工対象である被覆電線３をクランプ手段１の把持片２上を通過させ、その先端を案内部材２１に差し込み、その斜面２０によって案内させつつ、予備クランプ手段１７の一対の対向した把持片１９の間を通過させ、電線先端検知センサー１８まで導き、これに当接させる。すると、電線先端検知センサー１８はそれを感知し、予備クランプ手段１７に信号を送り、この把持片１９を閉じ、被覆電線３を保持する。この状態で、オペレーターは被覆電線３から手を離すことが出来様になる。
【００２６】
そして、予備クランプ手段１７によって把持されている被覆電線３は、既に各種加工作業を逐次実施中のクランプ手段１が移動経路５の出発位置６に戻ってくるまで、暫時待機状態に置かれ、クランプ手段１が戻ってくると、クランプ手段１が被覆電線３を把持すると共に、予備クランプ手段１が被覆電線３を把持すると共に、予備クランプ手段１７は把持を解除し、被覆電線３はクランプ手段１に引渡される。
【００２７】
この様に、クランプ手段１に引渡された被覆電線３には、前述の一連の加工作業が行われ、排出手段１６によって外部に排出され、この動作が繰り返され、被覆電線３への圧着端子２３のかしめ作業は連続的に行われるのであるが、オペレーターはクランプ手段１が移動経路５の出発位置６を離れたら、適宜、予備クランプ手段１７に次の被覆電線３を差し込んで、これを把持させれば、自動的にクランプ手段１に引渡されるので、従来のものの様に、クランプ手段１が出発位置６に戻った時にタイミングを合わせて、これに次の被覆電線３を差し出す必要はなく、クランプ手段１が出発位置６を離れたなら、何時でも自分の都合の良い時期に被覆電線３を予備クランプ手段１７に供給すれば良く、自動端子圧着装着２５の全体の動きを監視しつつ、余裕を持って被覆電線３の供給を実施することが出来る様になる。
【００２８】
従って、特に熟練を要することなく、被覆電線３への圧着端子の圧着作業を行うことが可能で、作業能率を飛躍的に向上させることが出来る。
【産業上の利用可能性】
【００２９】
圧着端子を被覆電線に圧着せしめる加工作業の際に、大いに利用価値がある。
【符号の説明】
【００３０】
１．クランプ手段
２．把持片
３．被覆電線
５．移動経路
６．出発位置
７．終端位置
８．被覆剥取り手段
９．圧着手段
１０．被覆電線切断刃
１１．被覆電線剥取り刃
１２．かしめ片
１３．ワイヤーシール挿入手段
１４．ワイヤーシール装着状況判断手段
１６．排出手段
１７．予備クランプ手段
１８．電線先端検知センサー
１９．把持片
２０．斜面
２１．案内部材
２２．バレル
２３．圧着端子
２４．ワイヤーシール
２５．自動端子圧着装置
【図１】
2015173049.tif 000003